(57)【要約】【課題】流調の際には吐水温度に配慮し、温調の際には吐水流量に配慮した水栓装置を提供する。【解決手段】本発明は、吐出される湯水の温度及び流量を調整可能な水栓装置（１）であって、吐出される湯水の温度を調整するための温調操作部（１０）と、吐出される湯水の流量を調整するための流調操作部（８）と、温調操作部により調整された設定温度の湯水を生成する温度調整部（１６）と、流調操作部により調整された設定流量の湯水を吐出させる流量調整部（１８）と、温調操作部及び流調操作部の操作に応じて、温度調整部及び流量調整部を制御する制御部（２２）と、を有し、制御部は、流調操作部の操作量に対する設定流量の変化量を、設定温度に応じて変化させることを特徴としている。【選択図】図２
2010053564.tif 000002
【特許請求の範囲】
【請求項１】
吐出される湯水の温度及び流量を調整可能な水栓装置であって、
吐出される湯水の温度を調整するための温調操作部と、
吐出される湯水の流量を調整するための流調操作部と、
上記温調操作部により調整された設定温度の湯水を生成する温度調整部と、
上記流調操作部により調整された設定流量の湯水を吐出させる流量調整部と、
上記温調操作部及び上記流調操作部の操作に応じて、上記温度調整部及び上記流量調整部を制御する制御部と、を有し、
上記制御部は、上記流調操作部の操作量に対する設定流量の変化量を、設定温度に応じて変化させることを特徴とする水栓装置。
【請求項２】
上記制御部は、設定温度が高い場合には、設定温度が低い場合よりも、上記流調操作部の操作量に対する設定流量の変化量を小さくする請求項１記載の水栓装置。
【請求項３】
吐出される湯水の温度及び流量を調整可能な水栓装置であって、
吐出される湯水の温度を調整するための温調操作部と、
吐出される湯水の流量を調整するための流調操作部と、
上記温調操作部により調整された設定温度の湯水を生成する温度調整部と、
上記流調操作部により調整された設定流量の湯水を吐出させる流量調整部と、
上記温調操作部及び上記流調操作部の操作に応じて、上記温度調整部及び上記流量調整部を制御する制御部と、を有し、
上記制御部は、上記温調操作部の操作量に対する設定温度の変化量を、設定流量に応じて変化させることを特徴とする水栓装置。
【請求項４】
上記制御部は、設定流量が大きい場合には、設定流量が小さい場合よりも、上記温調操作部の操作量に対する設定温度の変化量を小さくする請求項３記載の水栓装置。
【請求項５】
上記制御部は、上記温調操作部が温度を上昇させる方向に操作された場合のみ、上記温調操作部の操作量に対する設定温度の変化量を変化させ、上記温調操作部が温度を下降させる方向に操作された場合には、上記温調操作部の操作量に対する設定温度の変化量を一定にする請求項３又は４記載の水栓装置。
【発明の詳細な説明】
【技術分野】
【０００１】
本発明は水栓装置に関し、特に、吐出される湯水の温度及び流量を調整可能な水栓装置に関する。
【背景技術】
【０００２】
特開昭６３−１４３６１３号公報（特許文献１）には、給湯装置が記載されている。この給湯装置には、温度調節手段と、温度調節手段で調節された温度範囲の異なる湯を供給する複数の給湯口と、これらを切り替える切替弁と、給湯口の選択を行う給湯口設定部と、温度調節手段の湯温の設定を行う湯温設定部と、給湯口設定部の設定に従って切替弁を切り替えるとともに、これに連動して給湯温度をその給湯口の温度範囲内に変える制御器と、が備えられている。給湯装置をこのように構成することにより、通常、熱湯を使用することがない給湯口から熱湯が吐出されるのを防止している。
【０００３】
【特許文献１】特開昭６３−１４３６１３号公報
【発明の開示】
【発明が解決しようとする課題】
【０００４】
しかしながら、特開昭６３−１４３６１３号公報記載の給湯装置においても、熱湯を使用可能な給湯口からは高温の湯水が吐出されるので、これが使用者の意に反するものである場合には、使用者に強い不快感を与えることになる。特に、使用者の意に反する熱湯の吐出が大流量である場合には、問題が大きい。
従って、本発明は、流調の際には吐水温度に配慮し、温調の際には吐水流量に配慮した水栓装置を提供することを目的としている。
【課題を解決するための手段】
【０００５】
上述した課題を解決するために、本発明は、吐出される湯水の温度及び流量を調整可能な水栓装置であって、吐出される湯水の温度を調整するための温調操作部と、吐出される湯水の流量を調整するための流調操作部と、温調操作部により調整された設定温度の湯水を生成する温度調整部と、流調操作部により調整された設定流量の湯水を吐出させる流量調整部と、温調操作部及び流調操作部の操作に応じて、温度調整部及び流量調整部を制御する制御部と、を有し、制御部は、流調操作部の操作量に対する設定流量の変化量を、設定温度に応じて変化させることを特徴としている。
【０００６】
このように構成された本発明においては、温調操作部により吐出される湯水の温度が調整され、流調操作部により流量が調整される。制御部は、温度調整部及び流量調整部を制御して、調整された設定温度及び設定流量の湯水を吐出させる。また、制御部は、流調操作部の操作量に対する設定流量の変化量を、設定温度に応じて変化させる。
【０００７】
このように構成された本発明によれば、例えば、或る設定温度においては、流量の微調整が必要となる水栓装置の用途において、その設定温度における流調操作部の操作量に対する設定流量の変化量を小さくしておくことにより、流量を容易に微調整することができる。これにより、水栓装置の使い勝手を非常に良くすることができる。
【０００８】
本発明において、好ましくは、制御部は、設定温度が高い場合には、設定温度が低い場合よりも、流調操作部の操作量に対する設定流量の変化量を小さくする。
このように構成された本発明によれば、設定温度が高い場合には、流調操作部を大きく操作しなければ設定流量を増大させることができないので、使用者の誤操作により高温大流量の吐水が為されるのを防止することができる。
【０００９】
また、本発明は、吐出される湯水の温度及び流量を調整可能な水栓装置であって、吐出される湯水の温度を調整するための温調操作部と、吐出される湯水の流量を調整するための流調操作部と、温調操作部により調整された設定温度の湯水を生成する温度調整部と、流調操作部により調整された設定流量の湯水を吐出させる流量調整部と、温調操作部及び流調操作部の操作に応じて、温度調整部及び流量調整部を制御する制御部と、を有し、制御部は、温調操作部の操作量に対する設定温度の変化量を、設定流量に応じて変化させることを特徴としている。
【００１０】
このように構成された本発明においては、温調操作部により吐出される湯水の温度が調整され、流調操作部により流量が調整される。制御部は、温度調整部及び流量調整部を制御して、調整された設定温度及び設定流量の湯水を吐出させる。また、制御部は、温調操作部の操作量に対する設定温度の変化量を、設定流量に応じて変化させる。
【００１１】
このように構成された本発明によれば、例えば、或る設定流量においては、温度の微調整が必要となる水栓装置の用途において、その設定流量における温調操作部の操作量に対する設定温度の変化量を小さくしておくことにより、温度を容易に微調整することができる。これにより、水栓装置の使い勝手を非常に良くすることができる。
【００１２】
本発明において、好ましくは、制御部は、設定流量が大きい場合には、設定流量が小さい場合よりも、温調操作部の操作量に対する設定温度の変化量を小さくする。
このように構成された本発明によれば、設定流量が大きい場合には、温調操作部を大きく操作しなければ設定温度を上昇させることができないので、使用者の誤操作により高温大流量の吐水が為されるのを防止することができる。
【００１３】
本発明において、好ましくは、制御部は、温調操作部が温度を上昇させる方向に操作された場合のみ、温調操作部の操作量に対する設定温度の変化量を変化させ、温調操作部が温度を下降させる方向に操作された場合には、温調操作部の操作量に対する設定温度の変化量を一定にする。
【００１４】
このように構成された本発明によれば、温調操作部が温度を下降させる方向に操作された場合における温調操作部の操作量に対する設定温度の変化量を大きくしておくことにより、誤操作により高温大流量の吐水が為されるのを防止しながら、高温大流量の吐水が為されている場合には、設定温度を速やかに低下させることができる。
【発明の効果】
【００１５】
従って、本発明の水栓装置によれば、流調の際には吐水温度に配慮し、温調の際には吐水流量に配慮した吐水を行うことができる。
【発明を実施するための最良の形態】
【００１６】
次に、添付図面を参照して、本発明の実施形態を説明する。
まず、図１乃至図４を参照して、本発明の第１実施形態による水栓装置を説明する。図１は、本実施形態による水栓装置全体を示す斜視図である。図２は、本実施形態による水栓装置の構成を示すブロック図である。さらに、図３及び図４は本実施形態の水栓装置の作用を示すグラフである。
【００１７】
図１に示すように、本発明の第１実施形態による水栓装置１は、吐水口２ａが設けられた吐水部である吐水ヘッド２と、洗面ボウル４に取り付けられた水栓本体６と、洗面ボウル４に配置された流調操作部８及び温調操作部１０と、洗面ボウル４の下側に配置された水栓装置機能部１２（図２）と、を有する。
【００１８】
本実施形態による水栓装置１は、流調操作部８及び温調操作部１０を操作することにより、水栓装置機能部１２に電気信号が送られ、各機能を実行することができる。即ち、水栓装置１は、流調操作部８を押圧操作することにより吐水ヘッド２の吐水口２ａからの吐水、止水の切り換えを行うことができ、流調操作部８を回転操作することにより吐水流量の調整を行うことができる。また、水栓装置１は、温調操作部１０を回転操作することにより、吐水温度の調整を行うことができるように構成されている。
【００１９】
流調操作部８及び温調操作部１０の内部には、表示手段であるＬＥＤ（図示せず）が内蔵されており、このＬＥＤからの照射光により各操作部の周りに概ね扇形の光照射部８ａ、１０ａが形成される。各光照射部の扇形の中心角は、設定流量及び設定温度に応じて夫々大きくなるように構成されており、使用者は、各光照射部の形状により、設定流量、設定温度を視覚的に認識できるようになっている。また、吐水ヘッド２は、水栓本体６から外して引き出して、シャワーヘッドとして使用できるように構成されている。
【００２０】
図２に示すように、水栓装置機能部１２は、給湯管１６ａ及び給水管１６ｂに接続された温度調整部である温調バルブ１６と、この温調バルブ１６の下流側に接続された流量調整部である流量調整弁１８と、この流量調整弁１８の下流側に接続された電磁弁２０と、温調バルブ１６、流量調整弁１８及び電磁弁２０を制御する制御部であるコントローラ２２と、を有する。温調バルブ１６の出口管路には流量調整弁１８が接続され、流量調整弁１８の出口管路には電磁弁２０が接続され、電磁弁２０の出口管路には吐水ヘッド２が接続されている。この構成により、電磁弁２０が開放されると、温調バルブ１６から流出した湯水は流量調整弁１８を通って電磁弁２０に流入し、吐水ヘッド２の吐水口２ａから吐出される。
【００２１】
温調バルブ１６は、温度設定に従って、給湯管１６ａから流入した湯、及び給水管１６ｂから流入した水を混合して流出させるように構成されている。本実施形態においては、温調バルブ１６として、主弁体を形状記憶合金バネ及びバイアスバネの付勢力により駆動して温度を調整するタイプのサーモバルブが使用されている。また、温調バルブ１６から吐出される湯水の設定温度は、温調バルブ１６に連結されたモータ１６ｃを駆動することにより変更することができる。
【００２２】
流量調整弁１８は、流量設定に従って、温調バルブ１６から流入した湯水を流量調整して流出させるように構成されている。また、流量調整弁１８から吐出される湯水の設定流量は、コントローラ２２からの信号により弁の開度を可変することにより変更することができる。
【００２３】
コントローラ２２は、流調操作部８及び温調操作部１０から入力された電気信号に基づいて、電磁弁２０、温調バルブ１６及び流量調整弁１８に信号を送って、これらを制御するように構成されている。具体的には、コントローラ２２は、各操作部からの信号を入力するための入力インターフェイス、制御プログラム、記憶吐水条件である各吐水形態における設定温度、設定流量を記憶する記憶手段であるメモリ２２ａ、プログラムを実行するマイクロプロセッサ、電磁弁及び温調バルブを駆動するための出力インターフェイス等から構成される（メモリ２２ａのみ図示）。コントローラ２２による制御の詳細は、後述する。
【００２４】
次に、図３を参照して、コントローラ２２における制御を説明する。図３は、本発明の第１実施形態による水栓装置１の作用を示すグラフであり、横軸に設定流量を、縦軸に単位操作量当たりの設定温度の変化量を示している。
【００２５】
図３に示すように、本実施形態の水栓装置１において、コントローラ２２は、単位操作量当たりの設定温度の変化量、即ち、温調操作部１０を所定角度回転させたときの設定温度の変化量を、設定流量に応じて変化させるように構成されている。設定流量が０以上ｑ１未満の場合には、単位操作量当たりの設定温度の変化量はｂ１にされ、設定流量がｑ１以上ｑ２未満の場合には、単位操作量当たりの設定温度の変化量はｂ２にされ、設定流量がｑ２以上の場合には、単位操作量当たりの設定温度の変化量はｂ３にされる。なお、本実施形態においては、設定流量ｑ１＝６［Ｌ／ｍｉｎ］、ｑ２＝８［Ｌ／ｍｉｎ］であり、単位操作量当たりの設定温度の変化量ｂ１＝０．５［゜Ｃ／ｄｅｇ］、ｂ２＝０．３［゜Ｃ／ｄｅｇ］、ｂ３＝０．１［゜Ｃ／ｄｅｇ］である。
【００２６】
次に、図４を参照して、本実施形態による水栓装置１の作用を説明する。図４は、本実施形態による水栓装置１の作用を示すグラフであり、設定流量と、温調操作部の回転角と、設定温度との関係を示すグラフである。
【００２７】
まず、図４の時刻ｔ０〜ｔ２において、使用者は、温調操作部１０を時計回りに一定の回転角速度で回転操作している。この操作中の時刻ｔ０〜ｔ１においては設定流量がｑ１＝６［Ｌ／ｍｉｎ］未満であるため、設定温度は、温調操作部１０が１ｄｅｇ回転される毎に０．５゜Ｃ上昇される。さらに、時刻ｔ１〜ｔ２においては、設定流量がｑ１＝６［Ｌ／ｍｉｎ］以上、ｑ２＝８［Ｌ／ｍｉｎ］未満であるため、設定温度は温調操作部１０が１ｄｅｇ回転される毎に０．３゜Ｃ上昇されるようになる。即ち、時刻ｔ１〜ｔ２においては、設定流量が増大されているため、温調操作部１０が同じ回転角速度で操作されていても、回転角度当たりの設定温度の変化量が、時刻ｔ０〜ｔ１の間よりも小さくなる。
【００２８】
時刻ｔ２〜ｔ３においては、使用者は、温調操作部１０を回転操作する回転角速度を時刻ｔ０〜ｔ２の間よりも大きくしている。このため、時間当たりの設定温度の変化量は、時刻ｔ１〜ｔ２よりも大きくなっている。
【００２９】
さらに、時刻ｔ３〜ｔ４においては、使用者は温調操作部１０を回転操作する回転角速度を、さらに大きくしている。しかしながら、時刻ｔ３〜ｔ４においては、設定流量がｑ１＝８［Ｌ／ｍｉｎ］以上であるため、温調操作部１０の回転角当たりの設定温度の変化量は０．１゜Ｃに低下され、時間当たりの設定温度の変化量は、時刻ｔ２〜ｔ３と等しくなっている。このように、大流量吐水時には、温調操作部１０の回転角当たりの設定温度の変化量が小さくなるので、設定温度を容易に上昇させることができなくなり、誤って高温大流量の吐水が為されるのを防止している。
【００３０】
次に、時刻ｔ４〜ｔ６において、使用者は、温調操作部１０を反時計回りに一定の回転角速度で回転操作している。この操作中、時刻ｔ４〜ｔ５においては、設定流量がｑ１＝６［Ｌ／ｍｉｎ］以上、ｑ２＝８［Ｌ／ｍｉｎ］未満であるため、設定温度は温調操作部１０が１ｄｅｇ回転される毎に０．３゜Ｃ下降される。さらに、時刻ｔ５〜ｔ６においては設定流量がｑ１＝６［Ｌ／ｍｉｎ］未満に低下されているため、設定温度は、温調操作部１０が１ｄｅｇ回転される毎に０．５゜Ｃ下降されるようになる。これにより、時間当たりの設定温度の低下は、時刻ｔ４〜ｔ５における低下よりも大きくなる。
【００３１】
本発明の第１実施形態の水栓装置によれば、設定流量が大きい場合における温調操作部の操作量に対する設定温度の変化量が小さくされているので、設定流量が大きい場合には、温調操作部を大きく操作しなければ設定温度を上昇させることができず、使用者の誤操作により高温大流量の吐水が為されるのを防止することができる。
【００３２】
上述した第１実施形態においては、温調操作部の回転角当たりの設定温度の変化量は、設定流量が同じであれば、温調操作部を時計回りに回転させて設定温度を上昇させた場合も、温調操作部を反時計回りに回転させて設定温度を下降させた場合も同一であった。ここで、変形例として、温調操作部の回転角当たりの設定温度の変化量を、設定温度を上昇させるときと下降させるときで異なるように構成することもできる。
【００３３】
図５は、本変形例による水栓装置１の作用を示すグラフであり、設定流量と、温調操作部の回転角と、設定温度との関係を示すグラフである。図５の中段及び下段のグラフは、図４に示した第１実施形態のグラフと同一である。また、図５の上段のグラフも時刻ｔ０〜ｔ４においては、図４のグラフと同一である。
【００３４】
本変形例の水栓装置は、温調操作部を反時計回りに回転させた場合には、設定流量に関わらず、温調操作部１０が１ｄｅｇ回転される毎に０．５゜Ｃ下降されるように構成されている。従って、図５において、時刻ｔ４〜ｔ６の間における時間当たりの温度の低下が、図４のグラフよりも大きくなっている。
【００３５】
本変形例の水栓装置によれば、誤操作により高温大流量の吐水が為されるのを防止しながら、高温大流量の吐水が為されている場合には、速やかに設定温度を低下させることができる。
【００３６】
また、上述した第１実施形態においては、温調操作部の回転角当たりの設定温度の変化量は、設定流量に応じて３段階に変化されていたが、変形例として、設定温度の変化量を２段階に変化させても良い。
【００３７】
図６は、本変形例による水栓装置の作用を示すグラフであり、横軸に設定流量を、縦軸に単位操作量当たりの設定温度の変化量を示している。
図６に示すように、本変形例の水栓装置において、コントローラ２２は、単位操作量当たりの設定温度の変化量、即ち、温調操作部１０を所定角度回転させたときの設定温度の変化量を、設定流量に応じて２段階に変化させるように構成されている。設定流量が０以上ｑ２未満の場合には、単位操作量当たりの設定温度の変化量はｂ１にされ、設定流量がｑ２以上の場合には、単位操作量当たりの設定温度の変化量はｂ３にされる。なお、本変形例においては、設定流量ｑ２＝８［Ｌ／ｍｉｎ］であり、単位操作量当たりの設定温度の変化量ｂ１＝０．５［゜Ｃ／ｄｅｇ］、ｂ３＝０．１［゜Ｃ／ｄｅｇ］である。
【００３８】
また、温調操作部の回転角当たりの設定温度の変化量は、設定流量の関数として任意に定めることができる。例えば、温調操作部の回転角当たりの設定温度の変化量が、設定流量に応じて連続的に変化するように、水栓装置を構成することもできる。
【００３９】
次に、図７及び図８を参照して、本発明の第２実施形態による水栓装置を説明する。本実施形態の水栓装置は、コントローラにおける制御が上述した第１実施形態とは異なる。従って、ここでは、本実施形態の第１実施形態とは異なる点のみを説明し、同様の点については説明を省略する。
【００４０】
本発明の第２実施形態による水栓装置は、流調操作部を所定角度回転させたときの設定流量の変化量が、設定温度に応じて変化するように構成されている。
図７は、本発明の第２実施形態による水栓装置の作用を示すグラフであり、横軸に設定温度を、縦軸に単位操作量当たりの設定流量の変化量を示している。
【００４１】
図７に示すように、本実施形態の水栓装置において、コントローラ２２は、単位操作量当たりの設定流量の変化量、即ち、流調操作部８を所定角度回転させたときの設定流量の変化量を、設定温度に応じて変化させるように構成されている。設定温度が０以上Ｔ２未満の場合には、単位操作量当たりの設定流量の変化量はｃ１にされ、設定温度がＴ２以上の場合には、単位操作量当たりの設定温度の変化量はｃ３にされる。なお、本実施形態においては、設定温度Ｔ２＝５０［゜Ｃ］であり、単位操作量当たりの設定流量の変化量ｃ１＝０．１［（Ｌ／ｍｉｎ）／ｄｅｇ］、ｃ３＝０．０３［（Ｌ／ｍｉｎ）／ｄｅｇ］である。
【００４２】
次に、図８を参照して、本実施形態による水栓装置の作用を説明する。図８は、本実施形態による水栓装置の作用を示すグラフであり、設定温度と、流調操作部の回転角と、設定流量との関係を示すグラフである。
【００４３】
まず、図８の時刻ｔ１０〜ｔ１２において、使用者は、流調操作部８を時計回りに一定の回転角速度で回転操作している。この操作中の時刻ｔ１０〜ｔ１１においては設定温度がＴ２＝５０［゜Ｃ］未満であるため、設定流量は、流調操作部８が１ｄｅｇ回転される毎に０．１［Ｌ／ｍｉｎ］上昇される。さらに、時刻ｔ１１〜ｔ１２においては、設定温度がＴ２＝５０［゜Ｃ］以上であるため、設定流量は流調操作部８が１ｄｅｇ回転される毎に０．０３［Ｌ／ｍｉｎ］上昇されるようになる。即ち、時刻ｔ１１〜ｔ１２においては、設定温度が上昇されているため、流調操作部８が同じ回転角速度で操作されていても、回転角度当たりの設定流量の変化量が、時刻１０〜ｔ１１の間よりも小さくなる。このように、高温吐水時には、流調操作部８の回転角当たりの設定流量の変化量が小さくなるので、設定流量を容易に増加させることができなくなり、誤って高温大流量の吐水が為されるのを防止している。
【００４４】
時刻ｔ１２〜ｔ１３においては、使用者は、流調操作部８を回転操作する回転角速度を時刻ｔ１０〜ｔ１２の間よりも大きくしている。このため、時間当たりの設定流量の変化量は、時刻ｔ１１〜ｔ１２よりも大きくなっている。
【００４５】
さらに、時刻ｔ１３〜ｔ１４においては、使用者は流調操作部８を回転操作する回転角速度を、少し小さくしている。時刻ｔ１３〜ｔ１４においては、設定温度がＴ２＝５０［゜Ｃ］以上であるため、流調操作部８の回転角当たりの設定流量の変化量は０．０３［Ｌ／ｍｉｎ］のままであり、時間当たりの設定流量の変化量も、時刻ｔ１２〜ｔ１３よりも少し小さくなっている。
【００４６】
次に、時刻ｔ１４〜ｔ１６において、使用者は、流調操作部８を反時計回りに一定の回転角速度で回転操作している。この操作中、時刻ｔ１４〜ｔ１５においては、設定温度がＴ２＝５０［゜Ｃ］以上であるため、設定流量は流調操作部８が１ｄｅｇ回転される毎に０．０３［Ｌ／ｍｉｎ］減少される。さらに、時刻ｔ１５〜ｔ１６においては設定温度がＴ２＝５０［゜Ｃ］未満に低下されているため、設定流量は、流調操作部８が１ｄｅｇ回転される毎に０．１［Ｌ／ｍｉｎ］減少されるようになる。これにより、時間当たりの設定流量の低下は、時刻ｔ１４〜ｔ１５における低下よりも大きくなる。
【００４７】
本発明の第２実施形態の水栓装置によれば、設定温度が高い場合には、流調操作部を大きく操作しなければ設定流量を増大させることができないので、使用者の誤操作により高温大流量の吐水が為されるのを防止することができる。
【００４８】
上述した第２実施形態においては、流調操作部の回転角当たりの設定流量の変化量は、設定温度に応じて２段階に変化されていたが、変形例として、設定流量の変化量を３段階に変化させても良い。
図９は、本変形例による水栓装置の作用を示すグラフであり、横軸に設定温度を、縦軸に単位操作量当たりの設定流量の変化量を示している。
【００４９】
図９に示すように、本変形例の水栓装置において、コントローラ２２は、流調操作部８を所定角度回転させたときの設定流量の変化量を、設定温度が０以上Ｔ１未満の場合にはｃ１に、設定温度がＴ１以上Ｔ２未満の場合にはｃ２に、設定温度がＴ２以上の場合にはｃ３にしている。なお、本変形例においては、設定温度Ｔ１＝４２［゜Ｃ］、Ｔ２＝５０［゜Ｃ］であり、単位操作量当たりの設定流量の変化量ｃ１＝０．１［（Ｌ／ｍｉｎ）／ｄｅｇ］、ｃ２＝０．０６［（Ｌ／ｍｉｎ）／ｄｅｇ］、ｃ３＝０．０３［（Ｌ／ｍｉｎ）／ｄｅｇ］である。
【００５０】
以上、本発明の好ましい実施形態を説明したが、上述した実施形態に種々の変更を加えることができる。特に、上述した実施形態においては、水栓装置が、高温大流量に誤って設定されるのを防止する目的で、単位操作量当たりの設定値の変化量を変化させていたが、本発明を他の目的に適用することもできる。
【００５１】
例えば、小流量時に温度の微調整が必要な用途に対応して、設定流量が小流量の場合には、温調操作部の単位操作量当たりの設定温度の変化量が小さくなるように、水栓装置を構成することができる。或いは、低温吐水時に流量の微調整が必要な用途に対応して、設定温度が低温の場合には、流調操作部の単位操作量当たりの設定流量の変化量が小さくなるように、水栓装置を構成することもできる。これにより、水栓装置の使い勝手を非常に良くすることができる。
【図面の簡単な説明】
【００５２】
【図１】本発明の第１実施形態による水栓装置全体を示す斜視図である。
【図２】本発明の第１実施形態による水栓装置の構成を示すブロック図である。
【図３】本発明の第１実施形態による水栓装置の作用を示すグラフであり、横軸に設定流量を、縦軸に単位操作量当たりの設定温度の変化量を示している。
【図４】本発明の第１実施形態による水栓装置の作用を示すグラフであり、設定流量と、温調操作部の回転角と、設定温度との関係を示す。
【図５】本発明の第１実施形態の変形例による水栓装置の作用を示すグラフであり、設定流量と、温調操作部の回転角と、設定温度との関係を示す。
【図６】本発明の第１実施形態の変形例による水栓装置の作用を示すグラフであり、横軸に設定流量を、縦軸に単位操作量当たりの設定温度の変化量を示している。
【図７】本発明の第２実施形態による水栓装置の作用を示すグラフであり、横軸に設定温度を、縦軸に単位操作量当たりの設定流量の変化量を示す。
【図８】本発明の第２実施形態による水栓装置の作用を示すグラフであり、設定温度と、流調操作部の回転角と、設定流量との関係を示す。
【図９】本発明の第２実施形態の変形例による水栓装置の作用を示すグラフであり、横軸に設定温度を、縦軸に単位操作量当たりの設定流量の変化量を示す。
【符号の説明】
【００５３】
１      本発明の第１実施形態による水栓装置
２      吐水ヘッド
２ａ    吐水口
４      洗面ボウル
６      水栓本体
８      流調操作部
１０    温調操作部
１２    水栓装置機能部
１６    温調バルブ（温度調整部）
１６ａ  給湯管
１６ｂ  給水管
１８    流量調整弁（流量調整部）
２０    電磁弁
２２    コントローラ
２２ａ  メモリ
【図１】
2010053564.tif 000003
【図２】
2010053564.tif 000004
【図３】
2010053564.tif 000005
【図４】
2010053564.tif 000006
【図５】
2010053564.tif 000007
【図６】
2010053564.tif 000008
【図７】
2010053564.tif 000009
【図８】
2010053564.tif 000010
【図９】
2010053564.tif 000011